(57)【要約】  本明細書は、単位用量パック２０を取外し可能に結合および保護するための係止可能容器１０を教示する。係止可能容器に結合された折りたたみ可能な部分１２によって、単位用量パック２０またはブリスターカード７２を一次的または持続的にフラップ１６または容器内のその他の構造に取り付けることが可能になる。同様に、係止可能容器１０に結合されたブリスターカード７０によって、ブリスターパック２０を、一時的または持続的にブリスターカード７０に貼り付けることができる。また、ブリスターパックをブリスターカードに貼り付ける方法も教示する。
2007509004.tif 000002
【特許請求の範囲】
【請求項１】
単位用量パックを結合および保護するための装置であって、
係止要素を有するフレームに折りたたみ可能に取り付けられた第１の縁部と、
前記第１の縁部から離間した遠位にある第２の縁部と、
前記縁部の間に前記縁部のうち一方とほぼ平行に配置された折曲線と、
前記第１の縁部および前記折曲線によって画成され、前記係止要素に係合するように構成されたカバーパネルと、
前記第２の縁部および前記折曲線によって画成され、単位用量パックに取り付けられた折り重ねフラップとを備える装置。
【請求項２】
前記カバーパネルの表面積が、前記折り重ねフラップの表面積よりも大きい、請求項１に記載の装置。
【請求項３】
前記折り重ねフラップが、ブリスターパックの縁部の少なくとも一部分を取り付けるための手段を備える、請求項２に記載の装置。
【請求項４】
前記ブリスターパックおよび折り重ねフラップは、前記カバーパネルが係止可能に係合されたときに、前記フレーム内で前記カバーパネルの下に配置される、請求項３に記載の装置。
【請求項５】
前記パネルが折りたたまれたとき、前記開口が前記係止要素と一体のほぼ垂直のタブと係止可能に協働するよう構成されるように、前記折曲線付近に少なくとも１つの開口をさらに備える、請求項１に記載の装置。
【請求項６】
連続的なパネルで形成された折りたたみ可能なブリスターパック貼付けカードであって、
第１の端部および離間した第１の折曲線によって画成された外部カバーパネルと、
前記第１の折曲線および離間された第２の折曲線によって画成され、前記第１のパネルに貼り付けられたブリスターパック上に配置された少なくとも１つの胞を取り囲むように構成された少なくとも１つの開口を有する、第１の内部折り重ねパネルと、
前記第１の折曲線および離間された第２の端部によって画成され、前記第２のパネルに貼り付けられたブリスターパック上に配置された少なくとも１つの胞を取り囲むように構成された少なくとも１つの開口を有する、第２の内部折り重ねパネルとを備え、
前記カバーパネルが、前記折り重ねパネルに重なり係止要素を係合させるように構成されたカード。
【請求項７】
第１の面および反対側の第２の面をさらに備える、請求項６に記載のカード。
【請求項８】
前記ブリスターパックがそれぞれ、前記面のうちいずれかの同じ面に貼り付けられる、請求項７に記載のカード。
【請求項９】
前記ブリスターパックがそれぞれ、前記面のうちいずれかの面の反対側に貼り付けられる、請求項７に記載のカード。
【請求項１０】
前記カバーパネルの表面積が、前記第１の折り重ねパネルの表面積以上の大きさである、請求項６に記載のカード。
【請求項１１】
前記第１の折り重ねパネルの表面積が、前記第２の折り重ねパネルの表面積以上の大きさである、請求項１０に記載のカード。
【請求項１２】
ブリスターパック貼付けカードであって、
少なくとも１つの開口を有する抜板パネルと、
保護カバー、および品目を収容する少なくとも１つの胞を備え、前記パネル上に貼り付けられるブリスターパックと、
前記ブリスターカードを、子供が開けることができない容器と一体の受け入れ付属部に取外し可能に結合する手段とを備えるカード。
【請求項１３】
前記ブリスターパックは、前記品目が前記パネルによって妨害されることなく前記保護裏当てを通過することができるように貼り付けられた従来の押出しブリスターパックである、請求項１２に記載のカード。
【請求項１４】
前記ブリスターパックは、前記パネルによって妨害されることなく前記品目を前記胞から取り外すことができるように貼り付けられた従来の剥取りブリスターパックである、請求項１２に記載のカード。
【請求項１５】
ブリスターパックへのアクセスを妨げる方法であって、
内部を画成する複数の縁部を備えるフレーム、および少なくとも１つの外部係止フラップを設けるステップと、
前記第１の外部カバーを、第１の面から前記内部へと入ることを妨げる前記フレームに隣接して取り付けるステップと、
前記内部内に付属部を設けるステップと、
前記付属部にブリスターパック貼付けカードを結合するステップと、
少なくとも１つの胞および隣接する保護裏当てを備えるブリスターパックを前記カードに貼り付けるステップと、
取外し可能な第２の外部カバーを前記フレームに隣接して取り付けるステップと、
前記ブリスターパックを前記内部内で前記外部カバーの間に配置するステップと、
前記第２のカバーの前記外面の一部分を前記係止フラップで捉えるステップと、
前記第２のカバーを固定するために前記係止フラップを係合するステップとを含む方法。
【請求項１６】
フレームを設ける前記ステップがさらに、第１の端部でトリガ機構に、遠位端で横方向タブに結合された摺動可能な係止舌部を備える、一体の係止要素全体を提供することを含む、請求項１５に記載の方法。
【請求項１７】
前記貼り付けるステップがさらに、前記ブリスターパックの前記表面の少なくとも一部分を前記カードに固定することを含む、請求項１５に記載の方法。
【請求項１８】
前記貼り付けるステップがさらに、前記胞を覆う前記保護裏当ての部分が遮断されないように、前記ブリスターパックの前記裏面の少なくとも一部分を前記カードに固定することを含む、請求項１５に記載の方法。
【請求項１９】
貼り付けられたブリスターパックであって、
少なくとも１つの開口を有する抜板パネルと、
保護カバー、および品目を収容する少なくとも１つのブリスターを備えるブリスターパックと、
前記ブリスターカードを前記抜板パネルに貼り付ける手段とを含み、
前記開口およびブリスターは、前記品目が前記パネルによって妨げられることなく前記保護裏当てを通過することができるように配置されるブリスターパック。
【請求項２０】
前記ブリスターパックが、従来の押出しブリスターパックである、請求項１９に記載のカード。
【請求項２１】
前記ブリスターパックが、従来の剥取りブリスターパックである、請求項２０に記載のカード。
【請求項２２】
ブリスターパックを貼り付ける方法であって、
少なくとも１つの開口を有する抜板パネルを提供するステップと、
保護カバー、および品目を収容する少なくとも１つのブリスターを備えるブリスターパックを提供するステップと、
前記ブリスターを前記開口と位置合せするステップと、
前記ブリスターカードを、前記品目が前記パネルによって妨害されることなく前記保護裏当てを通過することができるように、前記抜板パネルに接着するステップとを含む方法。
【請求項２３】
ブリスターパックを提供する前記ステップがさらに、従来の押出しブリスターパックを提供することを含む、請求項２２に記載のカード。
【請求項２４】
ブリスターパックを提供する前記ステップがさらに、従来の剥取りブリスターパックを提供することを含む、請求項２２に記載のカード。
【発明の詳細な説明】
【技術分野】
【０００１】
本出願は、２００３年１０月１６日に出願した同時係属中の米国仮特許第６０／５１１，３３６号の優先権を主張する。その先行出願の開示全体を参照として本明細書に組み込む。
【０００２】
本発明は、係止可能容器、および係止可能容器内の製品を保護する方法に関する。この係止可能容器は、ブリスターパック内に保持された医薬品などの製品の保管に適している。
【背景技術】
【０００３】
傷つきやすい、繊細な、または危険な品目を保護することが頻繁に必要となるため、様々な係止装置を備える容器がよく知られている。危険であると考えられることがあるタイプの品目の１つは、対象とされていない使用者の手にある医薬品である。たとえば、子供がアクセスすることができる単位用量の処方用量調合剤は、その子供に対して危険となる可能性が高い。したがって、係止可能容器を開発する目的の１つは、単位用量パックなどの医薬品を保管する、子供には開けられない装置を提供することである。
【０００４】
単位用量パッケージという概念は、これによって便利にも単回用量を計画的に調剤することが可能になり、また使用者が、所定のスケジュールに従って用量の消費を確かめることも可能になるので、いくつかの医薬応用例では魅力的である。そのようなパッケージの１つの特徴は、その投薬クールが完了するまで何度も開閉するのに十分頑丈であることである。子供が開けられないようにすることは、単回用量医薬パッケージのための特に望ましい特徴であり、１９７０年の毒物予防パッケージ法で指示されている。この一般的なガイドラインは、パッケージが子供のいたずらに対する十分な完全性を維持することを保証するために策定されている。
【０００５】
そのようなパッケージの例が、本願と同じ譲受人に譲渡された特許文献１（Ｊｏｈｎｓｔｏｎｅ）、および特許文献２（Ｇｅｌａｒｄｉら）に記載されている。Ｊｏｈｎｓｔｏｎｅの特許は、外側スリーブとスリーブ内に係止可能に保持される内側スライドカードとを備える、単位用量パッケージに関する。Ｇｅｌａｒｄｉらの出願は、一体の係止機構を備える剛性のフレームを取り囲む、可撓性の外部カバーで形成された単位用量パッケージに関する。
【０００６】
子供が開けることができない単位投与パッケージの最近の発展にもかかわらず、産量の需要、市場の変化、および消費者のニーズにより、係止可能容器の新規の改良が頻繁に要求される。たとえば、係止可能な容器は通常、それが保管する医薬品のクールよりもはるかに長い間、壊れることなく使用することができる。すなわち、再使用不可能な係止可能容器は、その耐用期間が終了するより大分前に無駄に廃棄される。さらに、子供が開けることができないパッケージを必要とする使用者に、子供が開けることができるパッケージで医薬品が支給されることがある。さらに、使用済みであるが完全に機能する係止可能容器ではなく、新しい係止可能容器に詰め替えられた調合薬は、新しい容器のコストを賄うためにより高価となり得る。
【特許文献１】米国特許第６，０４７，８２９号明細書
【特許文献２】米国特許出願公開第２００３／００６２２８７号明細書
【特許文献３】米国特許出願公開第２００３／００１５４３８号明細書
【発明の開示】
【発明が解決しようとする課題】
【０００７】
したがって、当分野では依然、これらの満たされていないニーズに合う係止可能容器が必要とされている。たとえば、新しい調合薬をそれぞれ備えることができる安価な係止可能容器が必要とされており、再使用可能な安価な係止可能容器が必要とされており、消費者が交換パックまたはカードを充填することができる安価な係止可能容器が必要とされており、また、薬剤者など第三者の医療介護提供者が交換パックまたはカードを充填することができる、安価な係止可能容器が必要とされている。
【課題を解決するための手段】
【０００８】
概括的に言えば、本発明は、単位用量パックを取外し可能に結合および保護するための係止可能容器と、係止可能容器に取り付けられた、ブリスターパックを貼り付けるための折りたたみ可能な複数パネルブリスターカードと、係止可能な容器に取付け可能な、ブリスターパックを貼り付けるためのブリスターカードと、ブリスターパックをブリスターカードに貼り付ける方法の様々な実施形態を提供することによって、上記で特定されたニーズを満たす。
【０００９】
例示的な実施形態では、本発明の係止可能な容器は、一連の連続的なパネルおよび剛性の成形プラスチック係止要素で構成される、折りたたみ可能な部分を備える。単位用量は、好ましくは、これらに限定されないがパネル、カード、ディスペンサ、または付属部などの構造内にまたはそれに貼り付けて容器内部に収容することができる。本明細書で使用するとおり、単位用量とは、容器によって別々に収容される品目のいかなる分離された部分をも含む。単位用量の例は、支持体上の胞またはブリスター、シリンジ、小袋、ピロー、パッケージされた部分、その他の収納容器、または材料がその中で個別に分配または消費されるその他いかなる形態も含む。分離されたそれぞれの割当て部分内で、単位用量はまた個別の分配可能な品目を収容することもできる。たとえばカード上の胞またはブリスターはそれぞれ、複数の錠剤を収容することができる。
【００１０】
例示的な実施形態で、折りたたみ可能な部分は、板紙、プラスチック、積層板、蝶番式の金属、またはそれらのいかなる組合せも含めて、引き裂き強さを有する可撓性または折曲げ可能な材料で形成することができる。折りたたみ可能な部分は好ましくは、成形された係止要素と協働して、外部カバーによって取り囲まれた剛性のフレームを形成する。これに関して、折りたたみ可能な部分の１つまたは複数のパネルは通常、剛性のフレームを形成するために、成形された係止要素に少なくとも部分的に取り付けられ、さらなるパネルが、外部カバーを形成するためにフレームの頂部および底部上にわたって延びる。パネルは、成形部分によって設けられたフレーム内に嵌るように切断することができ、パネルを成形部分に精密に嵌めることを保証するために、１つまたは複数の切欠き、切り抜き、タブ、スロットなどを備えることができる。これに関して、たとえば、パッケージの頂部を形成するパネルは、成形部分内に形成された係止機構が通過することを可能にする、スロットを備えることができる。パッケージの底部を形成するパネルはまた、容器内の係止機構にアクセスし操作することを可能にするための、１つまたは複数の切欠き、切り抜き、タブ、またはフラップなど、制限されたアクセスを有することができる。
【００１１】
折りたたみ可能な部分は、これらに限定されないが、漂白または無漂白の、コートされていないまたはコートされたＣ１ＳまたはＣ２Ｓを含めて、パッケージ用途に適したいかなる板紙で形成することもできる。板紙はまた、必要に応じて、さらなる剛度および引き裂き強さをもたらすためにポリマー材料またはその他の材料で積層することができる。あるいは、折りたたみ可能な部分は、熱成形用途で使用されるようなプラスチックで構成することができる。折りたたみ可能な部分は、一体の抜板などの単一部片から形成し、容器のそれぞれのパネルを形成するように折り曲げることができ、あるいは、容器を形成するために必要なように個々のパネルを設け、係止要素に取り付けることができる。単位用量を受けまたそうでなければ保護する構造を設けるために、同一の材料を使用することができる。
【００１２】
例示的な実施形態では、成形された係止要素は、係止要素および係止解除要素を備える。適当な係止要素および係止解除要素のいくつかの非限定的な実施形態が、同時係属中の本願と同じ譲渡人に譲渡された、２００３年１月２３日公開の特許文献３に詳細に説明されている。係止要素は、垂直に結合されたパネルで構成されたフレーム部分、および摺動可能な係止舌部の要素を受け入れるフレーム基部を形成する。フレーム基部は、折りたたみ可能な部分の少なくとも１つのパネルに、化学的または機械的に取り付けることができる。
【００１３】
成形されたフレームは矩形とすることができ、２つの側部パネルよりも高さが低く長さが短い２つの端部パネルを備えることができる。端部パネルおよび側部パネルに加え、側部パネル同士の間およびフレーム基部の上に、スロットハウジングパネルを挿入することができる。このパネルは、係止フラップから垂れ下がるタブを受け係合させるためのスロットを備え、フレーム基部よりそれが高くなるのに十分な厚さで成形され、したがって係止舌部をその下面に係合させることが可能になる。またスロットハウジングパネルのこの高さによって、容器が閉じられたときに係止フラップに対する支持がもたらされる。
【００１４】
成形された非緊張位置で係止構成となる係止機構を非作動状態にするために、トリガ機構を使用することができる。様々な実施形態でトリガ機構は、円形プルリング、Ｔ字形レバー、またはロッドとすることができる。一実施形態では、リングが引っ張られると摺動可能な舌部が動かされて、湾曲しただぼまたは横方向タブをスロットハウジングの下から引き出す。係止舌部の引張方向への移動は、フレーム基部内にプルリングからある距離離して配置された１対の停止部、および停止部を係合させるようにバーを横切って水平方向に配置された停止リッジによって制限することができる。ストップリッジはさらに、バーの幅を横切りそれを超えて延びるように構成され、こうしてバーおよびプルリングをフレーム基部と同一平面内に配置したままに保つ。
【００１５】
一実施形態で係止フラップは、成形されたパッケージフレームの端部パネルの１つに蝶番式に結合される。係止フラップは任意で、使用者が容易にアクセスすることを可能にするつまみを備えることができる。垂下タブが、係止フラップの一端部に、好ましくはその中央領域付近で取り付けられる。この垂下タブは、係止舌部に取り付けられた横方向タブに対応するスロットを備える。係止機構は、垂下タブがスロットハウジング内に係合し、横方向タブが垂下タブ内でスロットに係合すると、固定される。
【００１６】
折りたたみ可能な部分は、いかなる適当な手段で成形プラスチック部分に固定することもできる。調合薬、医薬品、栄養補助剤などの単位投与材料を保持するために容器を使用する場合、単位投与収容要素を容器の内部に備えることができる。その他の消耗品および様々な材料も、特に個別の量に分配することが求められる場合に、このタイプの容器を使用してパッケージすることができる。このような要素は、すべて従来の手段によって形成される、胞、ブリスター、小袋、ピロー、箔挿入物、およびその他の収納容器から選択することができ、また、容器を形成する折りたたみ可能な部分、または容器内の分離された保管要素として挿入されたカード上に取り付けることができ、あるいは、フレームまたは別のパネルに取り付けられた付属部などの一体構造に取り付けることができる。たとえば、ブリスターカードをパッケージ内に組み込む場合、ブリスターカードは、折りたたみ可能な部分の１つまたは複数のパネルとして形成することができ、１つまたは複数のパネルに貼り付けることができ、１つまたは複数のパネルに取り付けることができ、フレーム内の別個のパネルに取り付けることができ、あるいは、フレームにそれ自体が取り付けられた付属部などの構造要素に取り付けることができる。
【００１７】
パッケージを閉じるためには、折りたたみ可能な部分をフレーム基部上に延ばし、係止フラップの垂下タブ領域に圧力を加えて、タブをスロットハウジングパネル内のスロットと係合させる。垂下タブはスロットに係合されるとき、突出した横方向タブを通過して摺動して、定位置に嵌り込む。完全に係止された位置で、横方向タブは、垂下タブの側部に正の力を加え、こうして、横方向タブを外すための適度な大きさの圧力を加えずに垂下タブを移動させることが困難となる。容器を開けるためには、垂下タブをスロットハウジングパネルから引き出すために、横方向タブを外して非係合状態にする。これに関して、使用者の指は、パッケージの底部でプルリングに係合し、リングを係止フラップと反対方向に引っ張る。リングは係止舌部を引き、次いで湾曲しただぼをスロットハウジングパネルから外側へと引き出す。横方向タブと垂下タブの正の接触（ｐｏｓｉｔｉｖｅ  ｃｏｎｔａｃｔ）が引き離され、こうして、垂下タブをスロットハウジングパネルから自由に動かすことができる。次いで係止フラップを、一体蝶番の周囲で回動させて、容器のカバーまたは頂部パネルを解放することができる。
【００１８】
開放時のさらなる安全機構として、係止フラップの最も内側の縁部付近にある１対のスリットによって、係止フラップを部分的に３つの区画に分けることができる。そのように形成された各区画は、隣接区画に対していくらかの制限された移動をすることができる。パッケージを開けるためには、係止フラップをうまく開けるように係止舌部をスロットハウジングパネルから引き出しながら、少なくとも１つの区画を把持しパッケージから外側へと引き出す。
【００１９】
上記で参照した実施形態の再使用および詰め替えを対象とする特徴を提供する実施形態もまた、本明細書で教示する。たとえば、一代替実施形態では、従来のブリスターパックを折り重ねフラップまたはパネルに取外し可能に結合する手段が提供される。そこで、フレームに取り付けられる縁部、カバーパネル、および折り重ねフラップを備える折りたたみ可能な部分が、それらの縁部それぞれに沿った折り重ねフラップに取り付けられるブリスターパックを受けるように構成される。ブリスターパックの収容物が消費されると、ブリスターパックを折り重ねパネルから取り外して廃棄することができ、詰め替え用のブリスターパックを折り重ねフラップまたはパネルに取り付けることができる。
【００２０】
別の代替実施形態では、フレームに結合された折りたたみ可能な部分を同様に形成する、ブリスターカードが提供される。そこで、裏側パネル、背部、カバーパネル、および貼り付けられたブリスターパックを受けるためのブリスターカードとして構成された少なくとも１つの内部パネルを備える折りたたみ可能な部分が、フレームに取り付けられる。本開示の目的のために、貼り付けられたブリスターパックは、ブリスターカードに一時的または持続的に固定され、またはそうでなければそれに対合された、表面を貼り付けたブリスターパックおよび／または裏面を貼り付けたブリスターパックのすべての組合せを含む。表面貼付けには剥取りブリスターパックがより適当であり、裏面貼付けには押出しブリスターパックがより適している可能性があるが、この例示的な組合せは単なる例示に過ぎず、貼付け構成に関する限定ではない。次いで、複数の貼り付けられたブリスターパックを折りたたみ、係止可能容器の内部に納めることができる。
【００２１】
さらなる代替実施形態では、貼り付けられたブリスターパックを受け、次いで係止可能容器内で保護される前にフレームまたは折りたたみ可能な部分に取り付けることができるように構成されたブリスターカードが提供される。たとえば、ブリスターパックは、少なくとも１つの開口を有する打抜パネルに、表面または裏面を貼り付けることができる。パネルは次いで、容器が係止されるとブリスターパックが保護され、係止要素をうまく操作することによってのみアクセス可能となるように、フレーム、フレーム内の構成、または折りたたみ可能な部分に直接結合されることができる。あるいは、この貼り付けられたブリスターカードは、別の容器と組み合わせて、または単にそれ自体で使用することができる。
【発明を実施するための最良の形態】
【００２２】
必要に応じて、本明細書で本発明の詳細な実施形態を開示する。開示する実施形態は、様々な代替形態として実施することができる本発明の例示に過ぎないことを理解されたい。図は必ずしも一定の縮尺ではなく、特定の構成要素の詳細を示すために、いくつかの特徴を誇張または縮小する可能性がある。その他の例では、本発明が不明瞭になることを避けるために、よく知られた材料または方法の詳細を説明していない。したがって、本明細書で開示する特定の構造的および機能的な詳細は、限定としてではなく、特許請求の範囲、および当分野の技術者が本発明を様々に利用するための教示の根拠として理解されるべきである。
【００２３】
次に、全体を通して同様の番号が同様の特徴を表す図面を参照すると、本発明の実施形態が示されている。まず図１を見ると、本発明による係止可能容器１０の一実施形態が、頂部パネル１４および折り重ねフラップ１６を有する折りたたみ可能部分１２を備える。図示の実施形態では、少なくとも１つのブリスターまたは胞２２および保護裏当て２４（図２Ｂに最もよく示される）を備える従来のブリスターパック２０が、折り重ねフラップ１６に取り付けられる。ここでは、ブリスターパック２０の１つの縁部が、化学的または機械的な取付け手段あるいはそれらの組合せのいずれかによって、折り重ねフラップの縁部に取り付けられて示される。限定ではなく例示として、取付け手段は、接着剤、糊、ホットメルト、結合配合物、および、材料を結合するための同様の化学的な解決法を含む。取付け手段はまた、互いに係合するタブとスロット、摩擦嵌め部品、ラッチ部品、Ｖｅｌｃｒｏ（登録商標）、および、材料を結合するための同様の機械的な解決法を含む。取付け手段はまた、当分野の技術者にはよく知られた、片面テープ、両面テープ、溶接など、材料を取り付けるための化学的および機械的解決法の組合せを含む。取付け手段はさらに、持続的な結合部と同様、一時的または取外し可能な結合部を含む。
【００２４】
頂部パネル１４は、係止可能容器１０の背部を形成する端部パネル３０に、折りたたみ可能に結合することができる。底部パネル３２は、ここでは成形プラスチック構造として示す係止要素３４に取り付けることができる。図示の実施形態でパネル３２は、成形された係止要素３４の一部上の可動領域を提供するために切削された、スロット３６を備える。その他の実施形態では、スロット３６を成形された係止要素の切抜露出要素で置き換えることができる。折りたたみ可能部分１２は、本明細書に記載するいかなる取付け手段で、成形された係止要素３４に取り付けることもできる。
【００２５】
係止要素３４は、係止フラップ３８、係止舌部４０、およびフレーム基部４２を備える。フレーム基部４２はさらに、ここでは容器１０の形状を画成する矩形フレームを形成するように垂直に結合された、端部パネル４４および側部パネル４６を備える。当分野の技術者には理解されるように、矩形フレームは単なる例示であって限定ではなく、その他の形状も可能でありまたむしろ望ましい。係止要素３４はさらに、係止フラップ３８を係合させるためのスロット５０と、係止舌部４０の湾曲しただぼ部分がそこに配置される中空領域（図示せず）とをその下に有する、スロットハウジングパネル４８を備える。その他の実施形態では、内部パネル（図示せず）は係止要素を覆い、文字、図用の、またはブリスターパックまたはカードを取り付けるための構造を形成する。
【００２６】
図２に示すように、折りたたみ可能部分１２は、折曲線５４によって分割される選択された基部材料の単一抜板から、底部パネル３２、頂部パネル１４、および折り重ねフラップ１６として形成される。実際には、ブリスターパック２０が取り付けられた延長部１６は、頂部パネル１４に向かって内側へと折りたたまれ、頂部パネル１４から外側へと開かれる。したがって、頂部パネル１４および延長部１６の内面または外面に、文字または図を印刷することができ、あるいは紙またはコンピュータ可読媒体上に保存された患者情報をそこに保持することができる。パネル１４、１６は、パネル１４、１６を折り重ねたときに整列するように配置およびサイズ決めされた、任意のスロット６０、６２、…を備え、背部パネル３０および端部パネル６６もまた、折曲線５４によって画成される。スロット６０、６２は、容器１０  が閉じられるときに、係止フラップ３８の内側に配置された垂下タブ６４（図１に最もよく示される）がパネル１４、１６を通過することが可能になるように形成される。端部パネル６６は、一表面が前方端部パネル４４に接触することを可能にし、容器の前方縁部を保護するように形成することができる。抜板は、フレーム４２の形状およびその他の設計基準に合うように必要に応じて構成することができ、複数の部品として設けることができる。
【００２７】
図２Ａに図示する代替実施形態で示すように、折りたたみ可能部分１２は、底部パネル３２、頂部パネル１４、第１のブリスターカード７０、および任意の第２のブリスターカード７２として、単一の抜板から形成される。パネル１４およびカード７０も同様に、パネル１４とカード７０を折り重ねたときに整列するように位置決めおよびサイズ決めされた、任意のスロット６０、６２、…を備える。スロット６０、６２は、十分広い幅の係止フラップ３８および十分頑丈な折曲げ可能部分１２を使用する場合、なくすことができる。さらに、ブリスターカード７０、７２は、図２Ｂ  に最もよく示される貼り付けられたブリスターパックと位置合せされるように構成された、開口７４を備える。
【００２８】
図２Ｂは、裏面が取り付けられたブリスターパック８０および表面が取り付けられたブリスターパック８２を示す。ここで、ブリスターパック８０は、従来の押出しブリスターパックであり、ブリスターまたは胞２２内で保持された品目（図示せず）が妨害されずに保護カバー２４および開口７４を通過することができるように、その保護カバー２４がカードのうち１つに貼り付けられている。同様に、ブリスターパック８２は、従来の剥取りブリスターパックであり、保護カバー２４を少なくとも部分的に除去した後に、開口７４内に配置されたブリスターまたは胞２２内で保持された品目（図示せず）を妨害されずに取り外すことができるように、カードのうちの１つにその表面が貼り付けられている。ここでブリスターパック８０、８２は、化学的または機械的な貼り付け手段、またはそれらの組合せによってカードに貼り付けられる。
【００２９】
当分野の技術者であれば、本発明が図２、図２Ａ、および図２Ｂに示す実施形態または構成に限定されないことに容易に気付くであろう。たとえば、より少ないまたはより多くのブリスターカードをこの抜板から形成することができ、ブリスターパックは、表面または裏面あるいはその両方をいくつかまたはすべてのブリスターカードに貼り付けることができ、いくつかのブリスターパックを同じ容器内の折り重ねカードに貼り付けながらその他のブリスターパックはブリスターカードに貼り付けることができ、ブリスターパックは、容器内の構造に直接取り付けられたブリスターカードに貼り付けることができ、かつ、ブリスターパックをブリスターカードに単に貼り付けて、係止可能容器なしで単位用量の医薬品を運ぶために最終使用者がそれ自体単独で使用する、しばしば折り重ねカードと呼ばれるものを形成することができる。
【００３０】
限定ではなく例示として、貼付け手段は、接着剤、糊、ホットメルト、結合配合物、および材料を結合するための同様の化学的な解決方法を含む。貼付け手段はまた、互いに係止するタブとスロット、摩擦嵌め部品、ラッチ部品、Ｖｅｌｃｒｏ（登録商標）、および材料を結合するための同様の機械的な解決方法を含む。貼付け手段はまた、片面テープ、両面テープ、溶接など、当分野の技術者に知られた材料を取り付けるための化学的および機械的な解決方法の組合せも含む。貼付け手段はさらに、持続的な結合部と同様、一時的または取外し可能な結合部を含む。
【００３１】
図３に、閉じた係止可能容器１０の等角図を示す。容器１０が完全に閉じられると、頂部パネル１４がフレームの内部に向かって折りたたまれ、係止フラップ３８の下に折り込まれる。パネル１４は、側部パネル４６の縁部付近に配置されたリッジ９０によって定位置に保持される。パネル１４が下方に押されると、その縁部はリッジ９０の下へと押し込まれそれによって確実に係合され、定位置に維持される。係止フラップ３８は、係止フラップ３８を隣接区画に対して限られた移動範囲を有するそれぞれの区画に分割する、１対のスリット９２によって３つ又に分けることができる。本実施形態ではつまみ９４が、フラップ３８の両端部に成形される。その他の実施形態でつまみは、湾曲させ、傾斜させ、またはリブを付けることができる。フラップ３８を複数の区画に分割することによって、使用者は容器を開けるために、係止舌部４０を非緊張位置から動かすようにプルリング９６（図５に示す）を係合させながら少なくとも１つの区画を引っ張るので、安全機構を強化することができる。垂下タブ６４の真上に配置された、係止フラップ３８の中央区画内のスロット９８は、係止フラップ３８の平面の下で下方へと突出して係止舌部４０に係合する。
【００３２】
容器１０の下面または底部は、図４および図５に示すように、外面上のパネル３２を示す。パネル３２はフレーム基部の底面に当接し、取付け手段によって、または側部パネル４６上のリッジ９０との係合によって、あるいはその両方によって定位置に保持される。パネル３２には、その下でトリガ機構の動作を可能にするための凹部が設けられる。図示の実施形態では、プルリング９６の上にノード３６が形成されるように、傾斜切欠きが切削されている。取り付けられていないノード３６は押下することができ、こうして使用者がプルリング９６を把持し操作することが可能になる。あるいは、ノード３６をなくすことができ、切り抜き１００が、プルリング９６を部分的または完全に露出させるように形成される。プルリングの隠蔽部は、プルリングへのアクセスを分かりにくくするので、子供が開けられない特徴をさらに加えることができる。
【００３３】
図６は、ブリスターカード１１４、１１６上に貼り付けられた、単位用量を収容するブリスターパック１１０、１１２の内部位置を示す、係止可能容器１０の横方向断面である。ここで、限定ではなく例示目的で、ブリスターパック１１０はブリスターカード１１４に裏面が取り付けられ、ブリスターパック１１２はブリスターカード１１６に表面が取り付けられる。ブリスターカード１１６は折りたたまれ係止された位置で、それぞれのブリスターパック１１０、１１２のブリスターがはまり込むように、すなわち閉じられた容器の内部空間１１８の効率性を最大にするよう配置されるように、ブリスターカード１１４と対合するように折りたたまれる。さらに、底部パネル３２は片側で保護カバーを提供し、係止フラップ３８によって捉えられ固定された頂部パネル１４は、反対側で保護カバーを提供する。好ましくは容器は、ブリスターが係止機構要素によって圧迫されることなく保管されるような寸法である。
【００３４】
次に初期製造に関してすべての図面を参照すると、係止可能容器１０は通常、予め切削され予め折り曲げられた抜板が、フレーム基部４２の底部、端部パネル３０、４４、および側部パネル４６上の取付け箇所で結合される機械作業で形成される。側部パネル４６の長さに沿ったリッジ９０は、折りたたみ可能な部分が、これらの側部および端部パネルによって形成された成形フレーム内にスナップ嵌めされることを可能にする。ブリスターパック２０、１１０、１１２は、折り重ねフラップ１６に取り付けることができ、またはブリスターカード７０、７２、１１４、１１６に貼り付けることができ、あるいは、１つまたは複数のブリスターパックは、容器１０が係止されるとブリスター２２が保護され容易にアクセスできなくなるように、内部空間１１８内に配置された構成に取り付けることができる。その後の使用に関しては、本明細書で説明するように使用者または第三者が、空になったブリスターパックを取り外すことができ、新しいブリスターパックを取付けまたは貼り付けることができる。
【００３５】
本発明は、本明細書では詳細を説明しないにもかかわらず上記の開示から当分野の技術者には理解される、その他の実施形態、特徴、および利点を含む。したがって、本開示は、上記の例のみまたは指定された実施形態のみに限定して読まれるべきではない。
【図面の簡単な説明】
【００３６】
【図１】本発明による部分的に開かれた係止可能容器の一実施形態を示す等角図である。
【図２】本発明による折りたたみ可能な部分の一実施形態を示す平面図である。
【図２Ａ】本発明による折りたたみ可能な部分の一代替実施形態を示す平面図である。
【図２Ｂ】ブリスターパックが貼り付けられた図２Ａの実施形態の側面図である。
【図３】本発明による係止可能容器の一実施形態を示す等角図である。
【図４】本発明による係止可能容器の一実施形態を示す平面図である。
【図５】本発明による係止可能容器の一実施形態を示す等角図である。
【図６】本発明による係止可能容器の一実施形態の横方向断面図である。
【符号の説明】
【００３７】
１０  係止可能容器
１２  折りたたみ可能部分
１４  頂部パネル
１６  折り重ねラップ
２０  ブリスターパック
２２  ブリスター
２４  保護カバー
３０  端部パネル
３２  底部パネル
３４  係止要素
３６  スロット
３８  係止フラップ
４０  係止舌部
４２  フレーム基部
４４  端部パネル
４６  側部パネル
４８  スロットハウジングパネル
５０  スロット
６０  スロット
６２  スロット
６４  垂下タブ
７０  ブリスターカード
７２  ブリスターカード
９０  リッジ
９６  プルリング
１００  切り抜き
【図１】
2007509004.tif 000003
【図２】
2007509004.tif 000004
【図２Ａ】
2007509004.tif 000005
【図２Ｂ】
2007509004.tif 000006
【図３】
2007509004.tif 000007
【図４】
2007509004.tif 000008
【図５】
2007509004.tif 000009
【図６】
2007509004.tif 000010
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
ブリスターパック内に保持された医薬品などの物品を安全に収容するためのパッケージにおいて、外部カバー部分によって取り囲まれた係止可能なトレイ部分と、前記カバーパネルに蝶番式に取り付けられた、前記物品を保持するための内部パネル構成とを備え、前記物品が前記係止可能トレイ部分の内部で容易に移動可能となり、前記外部カバー部分と前記係止可能トレイ部分との係合によってその中に係止可能となるような構造であるパッケージであって、前記内部パネル構成は、第１および第２のパネルを備え、前記第２のパネルは、前記第１のパネルに蝶番式に取り付けられており、前記内部パネル構成を前記係止可能トレイ部分の内側に折りたたむと、前記第１および第２のパネルのいずれかまたはそれぞれに保持された物品がそれらの間に納まりそれによって前記パッケージ内に安全に保持されるように、前記第１および第２のパネルが間隔を置いた関係に留まるように、前記第２のパネルが寸法決めされることを特徴とするパッケージ。
【請求項２】
前記第１および第２のパネルが、背部によって蝶番式に取り付けられる、請求項１に記載のパッケージ。
【請求項３】
前記背部は、前記第１および第２のパネルのそれぞれと共に延びる、請求項２に記載のパッケージ。
【請求項４】
前記トレイ部分は、前記パッケージの使用者が前記係止可能なトレイ部分を操作するときに前記パッケージの前記収容物にアクセスしないよう制限するために前記トレイ部分内に配置された防護パネルを備える、請求項１に記載のパッケージ。
【請求項５】
前記第１および第２のパネルの一方または両方が一連の予備形成された開口を備え、各開口が前記パネルによって保持された物品のブリスター部分を受ける、請求項１から４のいずれか一項に記載のパッケージ。
【請求項６】
前記係止可能なトレイ部分が、前記係止トレイ部分内で前記第２のパネル上に安全に保持された物品を収容するための前記基部に対して間隔を置いた関係で前記第２のパネルを維持するために、前記トレイの基部上に配置されたスペーサリッジを備える、請求項１から５のいずれか一項に記載のパッケージ。
【請求項７】
前記スペーサリッジが、前記防護部分を前記係止トレイ部分の前記基部に取り付ける手段を備える、請求項４および６に記載のパッケージ。
【請求項８】
前記係止可能トレイ部分が、協働係止要素を備え、その間で前記カバーパネルが係止可能であり、前記協働係止要素のうち１つが、前記係止可能なトレイ部分の前記基部からアクセス可能な解放要素に結合され、前記解放要素が、前記協働係止要素を取り外すように動作可能であり、それによって前記カバーパネルを解放し前記内部パネル構成へのアクセスを容易にする、請求項１から７のいずれか一項に記載のパッケージ。
【請求項９】
前記第１のパネルが、前記係止可能トレイ部分内で前記カバーパネルと互いに係止可能である、請求項１から８のいずれか一項に記載のカートン。
【請求項１０】
前記第１のパネルが、前記カバーパネルと前記第１のパネルとの前記係合とは別に、前記係止可能トレイ部分と係合可能であり、それによって、前記第１および第２のパネル上にそれぞれ保持された物品の間での相対移動が制限される、請求項９に記載のパッケージ。
【請求項１１】
請求項１から請求項１０のいずれか一項に記載のパッケージ内で使用するためのカバーパネルであって、それに蝶番式に取り付けられた請求項１から請求項１０のいずれか一項に記載の内部パネル構成を備える、カバーパネル。
【国際調査報告】
2007509004.tif 000011
2007509004.tif 000012
2007509004.tif 000013
2007509004.tif 000014